(57)【要約】      （修正有）【課題】機器への衝撃によるコンデンサの予期せぬ放電と回路の破損を防止することができる携帯端末装置を提供する。【解決手段】柱状をなすコンデンサ４１を、天面にグランド端子とホット端子（＋端子）とを備え、その軸がメイン基板３７基板の主面３７ａと略平行で、かつ、切り欠き部に配置され、ホット端子がメイン基板３７に接触しないように、コンデンサ４１自体が、メイン基板３７に対して厚さ方向でオフセットさせて配置する。また、コンデンサ４１のグランド端子とホット端子は、メイン基板３７に近い側にグランド端子が位置し、メイン基板３７から離れた位置にホット端子が位置するように配置する。【選択図】図８
2005217950.tif 000002
【特許請求の範囲】
【請求項１】
撮像手段と、
閃光手段と、
天面にグランド端子とホット端子とを備え、上記閃光手段への給電を行う、略柱状をなす蓄電素子と、
少なくとも撮像手段および閃光手段が接続され、切り欠き部が形成された基板と、を有し、
上記蓄電素子は、その軸が上記基板の主面と略平行となるように、上記基板の切り欠き部に配置され、上記ホット端子が上記基板に接触しないように、上記蓄電素子自体を、基板に対して厚さ方向でオフセットさせて配置されている
ことを特徴とする携帯端末装置。
【請求項２】
上記閃光手段は、フレキシブル配線基板に接続され、
上記蓄電素子のグランド端子およびホット端子は、上記フレキシブル配線基板の端部近傍に接続され、
上記フレキシブル配線基板の上記グランド端子およびホット端子が接続される端部において、フレキシブル配線基板に上記閃光手段と蓄電素子の配置位置間の配線距離より余裕を持たせて少なくとも一度折り返し、上記グランド端子およびホット端子と上記基板との間には、絶縁部材が配置されている
ことを特徴とする請求項１に記載の携帯端末装置。
【請求項３】
上記蓄電素子の上記グランド端子とホット端子は、上記基板側にグランド端子が位置し、基板から離れた位置にホット端子が位置するように配置されている
ことを特徴とする請求項１または２のいずれか一に記載の携帯端末装置。
【請求項４】
上記蓄電素子の上記グランド端子とホット端子は、両者を結ぶ線が上記基板の主面に対して略直交するように配置されている
ことを特徴とする請求項１乃至３のいずれか一に記載の携帯端末装置。
【請求項５】
上記撮像手段は、上記閃光手段および蓄電素子が接続されるフレキシブル配線基板上に実装され、上記撮像手段、上記閃光手段、上記蓄電素子、および上記フレキシブル配線基板がモジュール化されている
ことを特徴とする請求項１乃至４のいずれか一に記載の携帯端末装置。
【請求項６】
上記基板が実装される基板実装筐体と、上記基板実装筐体の蓋体をなす蓋側筐体とを有し、
上記基板実装筐体および蓋側筐体の少なくともいずれかの筐体には、組み立て時に上記蓄電素子に当接する絶縁性を有する弾性体が設けられている
ことを特徴とする請求項１乃至５のいずれか一に記載の携帯端末装置。
【請求項７】
スイッチユニットと、
内部底面側に、上記撮像手段、上記閃光手段、上記蓄電素子、上記フレキシブル配線基板、および上記基板が収容され、側部に上記スイッチユニットが着脱自在に取り付け可能なセット部が形成された基板実装筐体と、
上記基板実装筐体の蓋体をなす蓋側筐体と、
上記基板に露出するように形成された静電用グランドと、
上記蓄電素子を保持する保持部と、上記保持部の一端側に形成され上記蓄電素子が上記切り欠き部に配置された状態で上記静電用グランドと接続される接続子と、上記保持部の他端側に形成され、上記蓄電素子が上記切り欠き部に配置された状態で上記セット部に至る長さを有する板状の支持体と、を有する導電体と、
を有し、
上記フレキシブル配線基板は、
少なくとも上記閃光手段が実装され、上記セット部近傍に配置される第１配線基板部と、
上記閃光手段と上記蓄電素子とを接続する第２配線基板部と、
上記第１配線基板部と上記スイッチユニットとを接続する第３配線基板部と、を含み、
上記セット部において、上記第２配線基板部と上記第３配線基板部とは、上記導電体の上記支持体を間に介在させた状態で重なるように配線されている
ことを特徴とする請求項５記載の携帯端末装置。
【請求項８】
上記支持体には、上記スイッチユニットの一部に係止する係止部が形成されている
ことを特徴とする請求項７記載の携帯端末装置。
【請求項９】
上記支持体には、上記第１配線基板部の実装部に係止する係止部が形成されている
ことを特徴とする請求項７または８記載の携帯端末装置。
【請求項１０】
上記支持体、第２配線基板部、および第３配線基板部の上記セット部に位置する部分には、被係止部が形成され、
上記スイッチユニットには、上記支持体、第２配線基板部、および第３配線基板部の上記被係止部が一体的に係止する係止部が形成されている
ことを特徴とする請求項７乃至９のいずれか一に記載の携帯端末装置。
【請求項１１】
上記筐体の蓋体をなす蓋側筐体とを有し、
上記蓋側筐体には、組み立て時に上記蓄電素子に当接する絶縁性を有する弾性体が設けられている
ことを特徴とする請求項７乃至１０のいずれか一に記載の携帯端末装置。
【発明の詳細な説明】
【技術分野】
【０００１】
本発明は、カメラを内蔵した携帯電話機等の携帯端末装置に関するものである。
【背景技術】
【０００２】
近年、携帯電話機等の携帯端末装置にデジタルカメラを搭載することが一般的になってきている。
そして、デジタルカメラを搭載した携帯端末装置においては、一般的に撮影の補助としてストロボ装置が搭載される。
【０００３】
ストロボ装置は、比較的大容量のコンデンサに電荷を充電し、一気に放電して、放電管から閃光を発するものである。大きいものならばその電圧は、一時的に数百ボルトにも達する。
【０００４】
カメラを搭載し、さらにストロボ装置を搭載した携帯電話機としては、たとえば特許文献１に記載されたものが知られている。
この携帯電話機は、別体に構成されたカメラとストロボ装置のモジュールが携帯端末に接続されているとき、コンデンサの充電を行う。
【特許文献１】特開２００３−６９８９０号公報
【発明の開示】
【発明が解決しようとする課題】
【０００５】
ところで、携帯端末装置は携帯されることが多く、常に落下の危険性を伴っている。
したがって、コンデンサが充電を完了した状態においては携帯端末装置を落下させてしまった場合、その衝撃でコンデンサが携帯端末装置内の基板などに接触してショートしてしまうおそれがある。
この場合、予期せぬ放電を誘発すると、回路が破損し、制御系や記録系、あるいは無線通信系などに悪影響を与えてしまう可能性がある。
【０００６】
本発明は、かかる事情に鑑みてなされたものであり、その目的は、機器への衝撃によるコンデンサの予期せぬ放電と回路の破損を防止することができる携帯端末装置を提供することにある。
【課題を解決するための手段】
【０００７】
上記目的を達成するため、本発明の観点は、撮像手段と、閃光手段と、天面にグランド端子とホット端子とを備え、上記閃光手段への給電を行う略柱状をなす蓄電素子と、少なくとも撮像手段および閃光手段が接続され、切り欠き部が形成された基板と、を有し、上記蓄電素子は、その軸が上記基板の主面と略平行となるように、上記基板の切り欠き部に配置され、上記ホット端子が上記基板に接触しないように、上記蓄電素子自体を、基板に対して厚さ方向でオフセットさせて配置されている。
【０００８】
好適には、上記閃光手段は、フレキシブル配線基板に接続され、上記蓄電素子のグランド端子およびホット端子は、上記フレキシブル配線基板の端部近傍に接続され、上記フレキシブル配線基板の上記グランド端子およびホット端子が接続される端部において、フレキシブル配線基板に上記閃光手段と蓄電素子の配置位置間の配線距離より余裕を持たせて少なくとも一度折り返し、上記グランド端子およびホット端子と上記基板との間には、絶縁部材が配置されている。
【０００９】
好適には、上記蓄電素子の上記グランド端子とホット端子は、上記基板側にグランド端子が位置し、基板から離れた位置にホット端子が位置するように配置されている。
【００１０】
好適には、上記蓄電素子の上記グランド端子とホット端子は、両者を結ぶ線が上記基板の主面に対して略直交するように配置されている。
【００１１】
好適には、上記撮像手段は、上記閃光手段および蓄電素子が接続されるフレキシブル配線基板上に実装され、上記撮像手段、上記閃光手段、上記蓄電素子、および上記フレキシブル配線基板がモジュール化されている。
【００１２】
好適には、上記基板が実装される基板実装筐体と、上記基板実装筐体の蓋体をなす蓋側筐体とを有し、上記基板実装筐体および蓋側筐体の少なくともいずれかの筐体には、組み立て時に上記蓄電素子に当接する絶縁性を有する弾性体が設けられている。
【００１３】
好適には、スイッチユニットと、内部底面側に、上記撮像手段、上記閃光手段、上記蓄電素子、上記フレキシブル配線基板、および上記基板が収容され、側部に上記スイッチユニットが着脱自在に取り付け可能なセット部が形成された筐体と、上記基板に露出するように形成された静電用グランドと、上記蓄電素子を保持する保持部と、上記保持部の一端側に形成され上記蓄電素子が上記切り欠き部に配置された状態で上記静電用グランドと接続される接続子と、上記保持部の他端側に形成され、上記蓄電素子が上記切り欠き部に配置された状態で上記セット部に至る長さを有する板状の支持体と、を有する導電体と、を有し、上記フレキシブル配線基板は、少なくとも上記閃光手段が実装され、上記セット部近傍に配置される第１配線基板部と、上記閃光手段と上記蓄電素子とを接続する第２配線基板部と、上記第１配線基板部と上記スイッチユニットとを接続する第３配線基板部と、を含み、上記セット部において、上記第２配線基板部と上記第３配線基板部とは、上記導電体の上記支持体を間に介在させた状態で重なるように配線されている。
【００１４】
好適には、上記支持体には、上記スイッチユニットの一部に係止する係止部が形成されている。
【００１５】
好適には、上記支持体には、上記第１配線基板部の実装部に係止する係止部が形成されている。
【００１６】
好適には、上記支持体、第２配線基板部、および第３配線基板部の上記セット部に位置する部分には、被係止部が形成され、上記スイッチユニットには、上記支持体、第２配線基板部、および第３配線基板部の上記被係止部が一体的に係止する係止部が形成されている。
【００１７】
好適には、上記筐体の蓋体をなす蓋側筐体とを有し、上記蓋側筐体には、組み立て時に上記蓄電素子に当接する絶縁性を有する弾性体が設けられている。
【発明の効果】
【００１８】
本発明によれば、機器への衝撃によるコンデンサの予期せぬ放電と回路の破損を防止することができる利点がある。
【発明を実施するための最良の形態】
【００１９】
以下、本発明の実施形態を添付図面に関連付けて説明する。
【００２０】
図１、図２、および図３は、本発明に係る携帯端末装置としての携帯電話機の一実施形態を示す図であって、図１は本発明を適用した携帯電話機に開いた状態を示す斜視図であり、図２は本発明を適用した携帯電話機の閉じた状態を一側から示す斜視図であり、図３は本発明を適用した携帯電話機の閉じた状態を他側から示す斜視図である。
【００２１】
この携帯電話機１は、図に示すように、第１筐体（上部筐体）２と、第２筐体（下部筐体）３とが、可動機構部４を介して開閉自在（回転自在）に連結されている。
なお、可動機構部４は、所定の回転軸を中心に、第１筐体２と第２筐体３の２つの筐体を相対的に回転可能に構成される。
以下、第１筐体２および第２筐体３の構成、特に第２筐体３の内部構造を中心に具体的に説明する。そして、その後、本携帯電話機１における信号処理系について説明する。
【００２２】
第１筐体２は、図１および図２に示すように、開状態、閉状態にかかわりなく露出する第１面２ａにたとえばＬＣＤ（Ｌｉｑｕｉｄ  Ｃｒｙｓｔａｌ  Ｄｉｓｐｌａｙ）パネルや有機ＥＬ（ＥｌｅｃｔｒｏＬｕｍｉｎｅｓｃｅｎｔ）ディスプレイパネルからなる表示部２１が配置され、表示部２１の図１中の上部にスピーカ２２が内蔵されている。
【００２３】
第２筐体３は、内部に基板が実装される基板実装筐体３１と、基板実装筐体３１の蓋体をなす蓋側筐体３２とを重ね合わせて構成されている。
【００２４】
第２の筐体３の基板実装筐体３１の外平面３１ａ、すなわち閉状態時に第１筐体２の一面と対向する面３１ａに、テンキーボタン３１１ａと、カーソルボタン３１１ｂと、決定ボタン３１１ｃとを有する操作部３１１が配置されている。そして、操作部３１の図１中の下部にマイクロフォン３１２が内蔵されている。
【００２５】
第２筐体３の蓋側筐体３２は、図３に示すように、基板実装筐体３１の外平面３１ａと異なり、開状態、閉状態にかかわりなく露出する外平面３２ｂの中央部により若干可動機構部による連結部側に、撮像手段としてのカメラモジュール３４の光学系３４ａが、ユーザから見て相手側を撮影できるように配置されている。
また、第２筐体３の蓋側筐体３２の外平面３２ａにおいては、光学系３４ａより連結側に、光学系３４１に並列に、閃光手段としてのストロボ装置による閃光を外部に放射するための第１の発光窓３２１が配置され、第１の発光部３２１よりさらに連結部側に、接写時等に撮影補助としての白色光および撮影通知（たとえば撮影を行い画像を記録したことを示す通知）としての赤色光を外部に放射するための第２の発光窓３２２が形成されている。
第１の発光窓３２１および第２の発光窓３２２は、たとえばアクリル等の光学的に透明な板３２１ａ，３２２ａが配置されている。
第２の発光窓３２２の透明板３２１ａは、白色に形成され、外部から直接、第１および第２の発光手段としてのＬＥＤ光源を視認できないように構成されている。
【００２６】
第２筐体３の蓋側筐体３２においては、外平面３２ａに、図４に示すように、バッテリ３２３を収容する収容部３２４が形成され、この収容部３２４は、図３に示すように、着脱自在なカバー３２５が装着される。
【００２７】
また、第２筐体３の一側部には、図１および図２に示すように、カメラモジュール用タクトスイッチであるスイッチユニット３５が装着されている。
このスイッチユニット３５は、図５に示すように、第２筐体３の基板実装筐体３１と蓋側筐体３２の一側部の一部を切り欠いて形成されたセット部３６にセットされている。スイッチユニット３５は、後で説明するように、第２筐体３内部においてフレキシブル配線基板が接続されている。
【００２８】
図６は、基板実装筐体３１の内部３１ｂにおける基板実装状態を示す斜視図である。
また、図７および図８は、本実施形態に係るメイン基板の概要を示す斜視図である。
図６に示すように、基板実装筐体３１の内部３１ｂの底面部全体にわたって、メイン基板３７が装着される。
【００２９】
メイン基板３７の主面３７ａには、図７および図８に示すように、その一端側に、カメラユニットアッセンブリのカメラモジュール、閃光手段としてのストロボ装置３８、第１の発光手段としての接写時等に撮影補助としての白色光ＬＥＤ光源３９および第２の発光手段としての撮影通知としての赤色光ＬＥＤ光源４０を搭載するためのマウント部３７１が形成されている。
なお、図７および図８に示していないが、図中３７１ａで示すマウント領域にカメラモジュール３４がマウントされる。
メイン基板３７の他端側の一側部（スイッチユニット３５のセット部３６が形成されている側部）には、ストロボ装置３８を充放電するための蓄電素子である柱状をなすコンデンサ４１をセットするための切り欠き部３７２が形成されている。
また、メイン基板３７の周辺部には、静電用グランド３７３が露出するように形成されている。
【００３０】
そして、メイン基板３７は、図７および図８に示すように、切り欠き部３７２の近傍の端部にコンデンサ４１を保持し、フレキシブル配線基板を支持し、かつ、グランドに接続する導電体４２の接続子４２１を接触状態で係合する係合部３７４が形成されている。勿論、係合部３７４には静電用グランド３７３が形成されている。
【００３１】
図８に示すように、メイン基板３７の一端部にストロボ装置３８がマウントされ、他端部に形成されたコンデンサ４１とは、フレキシブル配線基板により接続され、また、マウント部３７１には、フレキシブル配線基板の一部が配置されて、このフレキシブル配線基板に、閃光手段としてのストロボ装置３８、第１の発光手段としての接写時等の撮影補助としての白色光ＬＥＤ光源３９および第２の発光手段としての撮影通知のための赤色光ＬＥＤ光源４０が搭載される。
すなわち、カメラユニットアッセンブリが一つのフレキシブル配線基板上に実装され、モジュール化されている
【００３２】
図９は、本実施形態に係るモジュール化されたフレキシブル配線基板の構成例を示す図である。
フレキシブル配線基板４３は、閃光手段としてのストロボ装置３８、第１の発光手段としての接写時等の撮影補助のための白色光ＬＥＤ光源３９および第２の発光手段としての撮影通知のための赤色光ＬＥＤ光源４０が搭載される第１配線基板部４３１と、第１配線基板部４３１のストロボ装置３８とコンデンサ４１とを接続する第２配線基板部４３２と、第１配線基板部４３１とスイッチユニット３５とを接続する第３配線基板部４３３とを有する。
そして、第１配線基板部４３１はメイン基板３７に形成されたマウント部３７１にマウントされ、第２配線基板部４３２と第３配線基板部４３３とは、図８に示すように、セット部３６において、導電体４２の支持体を間に介在させた状態で重なるように配線される。
【００３３】
第２配線基板部４３２の端部には、コンデンサ４１のグランド端子およびホット端子を接続するための接続部４３２１が形成されている。
第２配線基板部４３２は、コンデンサ４１のグランド端子およびホット端子が接続される端部において、フレキシブル配線基板に上記閃光手段と蓄電素子の配置位置間の配線距離より余裕を持たせて少なくとも一度折り返せるような、接続部４３２１を含む折り返し部４３２２ａ，４３２２ｂが形成されている。接続部４３２１には、コンデンサ４１のグランド端子およびホット端子が挿入されてはんだ付け等により接続され挿入孔４３２１ａ，４３２１ｂが生成されている。
また、折り返し部４３２２ｂには、接続部４３２１にコンデンサ４１のグランド端子およびホット端子を接続した状態でこの接続部４３２１を覆うように折り返し、かつコンデンサ４１がメイン基板３７の切り欠き部３７２にセットされたときにメイン基板３７と対向する面側には、図示しない絶縁部材として絶縁テープが配置される。
【００３４】
コンデンサ４１は、柱状をなし、図１０に示すように、天面４１１にグランド端子４１２とホット端子（＋端子）４１３とを備え、その軸がメイン基板３７基板の主面３７ａと略平行で、かつ、切り欠き部３７１に配置され、ホット端子４１３がメイン基板３７に接触しないように、コンデンサ４１自体が、メイン基板３７に対して厚さ方向でオフセットさせて配置される。なお、主面３７ａとは、メイン基板３７の主たる面であり、最も広い面である。
コンデンサ４１のグランド端子４１２とホット端子４１３は、メイン基板３７に近い側にグランド端子４１２が位置し、メイン基板３７から離れた位置にホット端子４１３が位置するように、第２配線基板部４３２の接続部４３２１における挿入孔４３２１ａ，４３２１ｂに挿入されてはんだ付け等により第２配線基板部４３２に接続される孔４３２１ａ，４３２１ｂが形成されている。
このとき、コンデンサ４１のグランド端子４１２とホット端子４１３は、両者を結ぶ線が、メイン基板３７の主面３７ａに対して略直交するように配置されている。
そして、接続部４３２１にコンデンサ４１のグランド端子およびホット端子を接続した状態でこの接続部４３２１を覆うように、折り返し部４３２２を折り返し、かつコンデンサ４１がメイン基板３７の切り欠き部３７２にセットされたときにメイン基板３７と対向する面側には、図１０に示すように、絶縁部材として絶縁テープ４４が配置される。
この絶縁テープ４４は、折り返し部４３２２からコンデンサ４１のメイン基板３７の近傍に位置する下部部分に至るように配置される。
【００３５】
このように、本実施形態においては、コンデンサ４１自体を、メイン基板３７に対して厚さ方向でオフセットさせて配置し、メイン基板３７に近い側にグランド端子４１２が位置し、メイン基板３７から離れた位置にホット端子４１３が位置し、コンデンサ４１のグランド端子４１２とホット端子４１３は、両者を結ぶ線が、メイン基板３７の主面３７ａに対して略直交するように配置し、かつ、絶縁テープ４４によりメイン基板３７とコンデンサ４１との絶縁性を保っていることから、仮に筐体が衝撃を受けてコンデンサ４１が多少動いても、ショートすることを防止できる実装構造を実現している。
【００３６】
また、導電体４２は、図８に示すように、コンデンサ４１を保持する保持部４２１と、保持部４２１の一端側に形成されコンデンサ４１がメイン基板３７の切り欠き部３７２に配置された状態でメイン基板３７の端部に形成された係合部３７４に係合し接続状態を安定に保持できるように静電用グランド３７３と接続される鉤状に形成された接続子４２２と、保持部４２１の他端側に形成され、コンデンサ４１がメイン基板３７の切り欠き部３７２に配置された状態で、スイッチユニット３５が着脱自在に装着されるセット部３６の略全体に至る長さを有する板状の支持体４２３とを有している。
【００３７】
そして、上述したように、第２配線基板部４３２と第３配線基板部４３３とは、図８に示すように、セット部３６において、導電体４２の支持体４２３を間に介在させた状態で重なるように配線される。
また、支持体４２３には、スイッチユニット３５の長手方向の略中央の一部に形成された被係止部３５１に係止する係止部４２３ａが形成されている。
また、支持体４２３には、第１配線基板部４３１のマウント部３７１のセット部３６近傍に形成された被係止部３７１ｂに係止する係止部４２３ｂが形成されている。
さらに、一体的に重ねた状態でセットされる支持体４２３、第２配線基板部４３２、および第３配線基板部４３３のセット部３６に位置する部分には、Ｕ字状にカットとした被係止部４５ａ，４５ｂが所定間隔をおいて形成されている。
そして、図８に示すように、スイッチユニット３５の内面３５ａ側には、支持体４２３、第２配線基板部４３２、および第３配線基板部４３３の被係止部４５ａ，４５ｂが一体的に係止する係止部３５２，３５３が形成されている。
また、セット部３６には、図６に示すように、一体的に重ねた状態でセットされる支持体４２３、第２配線基板部４３２、および第３配線基板部４３３を、第２筐体３の側壁部分にそって立てた状態でかつ差し込むようにセットできるような支持壁部３６１ａ〜３６１ｃが形成されている。
【００３８】
このような構造において、コンデンサ４１をメイン基板３７の切り欠き部３７２にセットし、スイッチユニット３５をセット部３６にセットするには、次のようにして行う。
【００３９】
まず、コンデンサ４１を第２配線基板部４３２の接続部４３２１に接続するために、接続部４３２１をコンデンサ４１の天面４１１と対向するように、第２配線基板部４３２の配線部分４３２ａに対して略９０度折り曲げて、グランド端子４１２およびホット端子４１３を、接続部４３２１に形成された孔４３２１ａおよび４３２１ｂに挿入した状態ではんだ付け等により接続する。
この状態で、たとえば導電体４２の保持部４２１にコンデンサ４１をセットし、第２配線基板部４３２の折り返し部４３２２ｂを接続部４３２１のはんだ付けされた面を覆うように折り返し、さらに返し部４３２２ｂから保持部４２１の下部にわたって絶縁テープ４４を貼り付ける。
そして、第２配線基板部４３２と第３配線基板部４３３とを、導電体４２の支持体４２３を間に介在させた状態で重なるようにして帯状体のように配置する。
この状態で、支持体４２３に形成された係止部４２３ａを、スイッチユニット３５の長手方向の略中央の一部に形成された被係止部３５１に係止する。
これにより、第３配線基板部４３３は、支持体４２３とスイッチユニット３５の内面３５ａによって挟持された状態で保持される。
次に、スイッチユニット３５の内面３５ａ側に形成された係止部３５２，３５３を、支持体４２３、第２配線基板部４３２、および第３配線基板部４３３の被係止部４５ａ，４５ｂに挿入するようにして一体的に係止させる。
これにより、スイッチユニット３５、第３配線基板部４３３、支持体４２３、および第２配線基板部４３２が、一体的な板状体として構成される。
そして、スイッチユニット３５、第３配線基板部４３３、支持体４２３、および第２配線基板部４３２からなる一体的な板状体を、セット部３６の支持壁部３６１ａ〜３６１ｃに立てた状態でかつ上方から差し込むようにセットする。
このとき、第２配線基板部４３２の配線部４３２ａの長さは、板状体をセット部３６にセットしたときに導電体４２の保持部４２１の保持されたコンデンサ４１が、略メイン基板３７の切り欠き部３７２に配置される長さに設定されている。
したがって、コンデンサ４１を保持する導電体４２の保持部４２１がメイン基板３７の切り欠き部３７２に配置され、この状態で鉤状に成された接続子４２２をメイン基板３７の係合部３７４に係合させて接続状態を安定に保持できるように静電用グランド３７３と接続する。
そして、たとえば支持体４２３に形成された係止部４２３ｂを、第１配線基板部４３１のマウント部３７１のセット部３６近傍に形成された被係止部３７１ｂに係止する。
これにより、カメラユニットの基板実装筐体３１に対する実装が完了する。
【００４０】
このように、セットすることにより、コンデンサ４１自体を、メイン基板３７に対して厚さ方向でオフセットさせて配置し、メイン基板３７に近い側にグランド端子４１２が位置し、メイン基板３７から離れた位置にホット端子４１３が位置し、コンデンサ４１のグランド端子４１２とホット端子４１３は、両者を結ぶ線が、メイン基板３７の主面３７ａに対して略直交するように配置し、かつ、絶縁テープ４４によりメイン基板３７とコンデンサ４１との絶縁性を保っていることから、仮に筐体が衝撃を受けてコンデンサ４１が多少動いても、ショートすることを防止できる。
また、フレキシブル配線基板４３、ストロボ装置３８、白色ＬＥ光源３９、赤色ＬＥＤ光源４０、スイッチユニット３５、およびコンデンサ４２が一体的にモジュール化してカメラユニットを構成しているので、ユニット自体に着脱が略ワンタッチといっていいほど簡単に行うことができ、メインテナンス性の向上を図ることができる。
また、第２配線基板部４３２と第３配線基板部４３３とを、導電体４２の支持体４２３を間に介在させた状態で重なるようにして帯状体のように配置するが、セット状態で、この導電体４２は、接続子４２２でメイン基板３７の静電用グランド３７３に接続されていることから、支持体４２３は、本来の機能であるフレキシブルな基板を支持することはもとより、いわゆるシールド板としても機能し、第２配線基板部４３２と第３配線基板部４３３を転送される。スイッチユニット３５に関する機能信号やストロボ装置３８の駆動電圧が互いに干渉することを防止することもでき、カメラユニットの誤動作等を確実に防止することができる。
【００４１】
このように、カメラユニットが実装された基板実装筐体３１に対して蓋側筐体３２が被せるようにセットされて第２筐体３が構成される。
このとき、基板実装筐体３１および蓋側筐体３２の少なくともいずれかの筐体には、組み立て時にコンデンサ４１に当接する絶縁性を有する弾性体が設けられる。
【００４２】
図１１（ａ）は本実施形態に係る携帯電話機１の平面図であり、図１１（ｂ）は図１１（ａ）に示すＡ−Ａ線における矢視方向の断面図である。
図１１（ｂ）に示すように、本実施形態においては、蓋側筐体３２の内部に絶縁性を有する弾性体（たとえばエポキシ樹脂等）４６が配置されている。
実際には、図１２に示すように、蓋側筐体３２の内部に角柱状の弾性体４６を接着剤等により固定し、基板実装筐体３１と蓋側筐体３２が合体されたときに、この弾性体４６がコンデンサ４１の上部に当接するように構成される。
これにより、コンデンサ４１は、第２筐体３内で、所定の弾性力をもって所定の位置の安定に保持され、また、筐体が衝撃を受けたとしてもこの衝撃力を弾性体４６が吸収し、所定の位置の安定に保持される。
【００４３】
したがって、上述したコンデンサ４１の実装構造と相俟って、コンデンサが携帯端末装置内の基板などに接触してショートしてしまうおそれが少なくなり、予期せぬ放電を誘発することもなくなり、回路が破損し、制御系や記録系、あるいは無線通信系などに悪影響を与えてしまうことがなくなるという利点がある。
【００４４】
また、上述したように、基板実装筐体３１と蓋側筐体３２が合体されて第２筐体３が組み立てたれると、筐体内部に配置されているストロボ装置３８の発光面３８１は、蓋側筐体３２の外平面３２ａに形成した矩形の第１の発光窓３２１に正対する。
また、ストロボ装置３８に並列に配置された第１の発光手段としての２つの白色ＬＥＤ光源３９は矩形の第２の発光窓３２２に中央よりに面するように配置されるが、第２の発光手段としての赤色ＬＥＤ光源４０は、第２の発光窓３２２の周縁部よりに面して配置される。
以下、この白色ＬＥＤ光源３９と赤色ＬＥＤ光源４０の配置構造について説明する。
【００４５】
図１３は、白色ＬＥＤ光源３９と赤色ＬＥＤ光源４０の配置を示す斜視図であり、図１４は、第２の発光窓を含めて白色ＬＥＤ光源３９と赤色ＬＥＤ光源４０の配置関係を模式的に示す図である。
【００４６】
本実施形態においては、携帯電話機１のさらなる小型化の要望があり、この要望に答えて白色ＬＥＤ光源３９（３９１，３９２）による撮影補助光と、赤色ＬＥＤ光源４０による撮影通知光を、１つの発光窓３２２から放射させるように構成している。
そして、撮影補助光の白色ＬＥＤ光源３９は、その用途からある程度の光強度を必要とすることから、導光材３９１ａ，３９２ａ内にＬＥＤを収容し、導光材３９１ａ，３９２ａの天面は、対向する第２の発光窓３２２に向けてＬＥＤの出射光を放射するような構造に形成されている。
また、撮影通知ランプとしての赤色ＬＥＤ光源４０は、撮影補助光ほどの光強度は不要であり、またコストの面からも導光材を設けることは現実的ではないことから、導光材を用いずＬＥＤの発光部を露出させた状態で配置されている。したがって、赤色ＬＥＤ光源４０は、導光材３９１ａ，３９２ａの発光窓３２２に面する天面よりも搭載される基板面に対して低い位置に配置されている。
【００４７】
この場合、撮影通知ランプ用ＬＥＤ光源４０を、単純に発光窓３２２に面して並列に配置した場合、発光窓を通して撮影通知ランプ用ＬＥＤ光源４０が識別できたり、撮影補助光の白色ＬＥＤ光源３９１，３９２の導光材３９１ａ，３９２ａにより撮影通知ランプ用赤色ＬＥＤ光源４０の光路が遮られて、両者を効率良く、しかも均一に発光窓を照明することができなくなるおそれがあることから、所定の間隔をおいて並列に配置された２つの白色ＬＥＤ光源３９１，３９２に挟まれて形成される領域外に位置するように、赤色ＬＥＤ光源４０は、第２の発光窓３２２の周縁部よりに面して配置されている。
また、赤色ＬＥＤ光源４０は、図１３および図１４に示すように、２つの白色ＬＥＤ光源３９１，３９２の各々から略均等な距離に配置されている。
また、２つの白色ＬＥＤ光源３９１，３９２の各々は、撮像手段としてのカメラモジュール３４の光学系３４ａの光軸の中心点から略均等な距離に配置されている。これにより、接写時等に、被写体を均等で一様な光を当てることが可能となっている。
また、本実施形態においては、２つの白色ＬＥＤ光源３９１，３９２間の中心部と、光学系３４ａの光軸中心と、ストロボ装置３８の光軸中心とが、光軸に対して略直交する方向において略一直線上になるように、光学系３４ａ、ストロボ装置３８、および白色ＬＥＤ光源３９１，３９２が配置されている。これにより、ストロボ装置３８の使用時と、白色ＬＥＤ光源３９１，３９２の使用時とで、ユーザが撮影時のかまえ方を変える必要がない。
そして、図１４に示すように、撮影補助光の白色ＬＥＤ光源３９１，３９２の導光材３９１ａ，３９２ａは、赤色ＬＥＤ光源４０の出射光の矩形の発光窓３２２の全体に至る光路を避けるように配置されている。
これにより、赤色ＬＥＤ光源４０の出射光は、白色ＬＥＤ光源３９１，３９２の導光材３９１ａ，３９２ａで遮られることなく、矩形の発光窓３２２の四隅に至る略全面に対して照射される。
したがって、発光窓３２２は、全体が均一に赤く光る。
【００４８】
このように、本実施形態においては、ストロボ装置３８に並列に配置された第１の発光手段としての２つの白色ＬＥＤ光源３９１，３９２は矩形の第２の発光窓３２２に中央よりに面するように配置されるが、第２の発光手段としての赤色ＬＥＤ光源４０は、第２の発光窓３２２の周縁部よりに面して配置されることから、赤色ＬＥＤ光源４０を発光窓３２２を通して撮影通知ランプ用ＬＥＤ光源４０が識別されることはなく、しかも用途の異なる複数の光源が１つの発光窓を共用でき、両者を効率良く、しかも均一に発光窓を照明することができる、ひいては小型化、コスト低減を図ることができる。
【００４９】
以上のようにして配置される白色ＬＥＤ光源３９および赤色ＬＥＤ光源４０は、メイン基板３７に搭載される図示しない制御回路により、カメラモジュールが起動されたときに第１の発光手段としての２つの白色ＬＥＤ光源３９１，３９２を発光させる制御が行われる。そして、カメラモジュールにより撮像が行われた際、たとえば撮影が行われ画像が記録された際に、赤色ＬＥＤ光源４０を発光させる制御が行われる。
【００５０】
なお、以上の説明では、赤色ＬＥＤ光源４０を撮影通知のために用いる場合を例に説明したが、たとえば着信通信のために用いることも可能である。
この場合、無線通信部により着信が発生した際には、制御回路により第２の発光手段としての赤色ＬＥＤ光源４０を発光させる制御が行われる。
【図面の簡単な説明】
【００５１】
【図１】本発明に係る携帯端末装置としての携帯電話機の一実施形態を示す図であって、本発明を適用した携帯電話機に開いた状態を示す斜視図である。
【図２】本発明に係る携帯端末装置としての携帯電話機の一実施形態を示す図であって、本発明を適用した携帯電話機の閉じた状態を一側から示す斜視図である。
【図３】本発明に係る携帯端末装置としての携帯電話機の一実施形態を示す図であって、本発明を適用した携帯電話機の閉じた状態を他側から示す斜視図である。
【図４】本発明に係る携帯端末装置としての携帯電話機の一実施形態を示す図であって、本発明を適用した携帯電話機の閉じた状態を他側から示し、バッテリ搭載状態を示す斜視図である。
【図５】本実施形態に係る基板実装筐体および蓋側筐体の側部に形成されたスイッチユニット用セット部を説明するための斜視図である。
【図６】本実施形態に係る基板実装筐体の内部における基板実装状態を示す斜視図である。
【図７】本実施形態に係るメイン基板の概要を示す斜視図である。
【図８】本実施形態に係るストロボ装置等を実装するマウント部が配置されたメイン基板の概要を示す斜視図である。
【図９】本実施形態に係るモジュール化されたフレキシブル配線基板の構成例を示す図である。
【図１０】コンデンサの実装状態を説明するための図である。
【図１１】（ａ）は本実施形態に係る携帯電話機１の平面図であり、（ｂ）は図１１（ａ）に示すＡ−Ａ線における矢視方向の断面図である。
【図１２】本実施形態に係る弾性体の蓋側筐体に対する実装例を示す斜視図である。
【図１３】本実施形態に係る２つの白色ＬＥＤ光源と赤色ＬＥＤ光源の配置関係を示す斜視図である。
【図１４】発光窓を含めて２つの白色ＬＥＤ光源と赤色ＬＥＤ光源の配置関係を模式的に示す図である。
【符号の説明】
【００５２】
１…携帯電話機、２…第２筐体、３…第３筐体、３１…基板実装筐体、３２…蓋側筐体、３２１…第１の発光窓、３２２…第２の発光窓、３４…カメラモジュール、３５…スイッチユニット、３６…セット部、３７…メイン基板、３７３…静電用グランド、３８…ストロボ装置、３９…白色ＬＥＤ光源（第１の発光手段）、４０…赤色ＬＥＤ光源（第２の発光手段）、４１…コンデンサ、４２…導電体、４２１…保持部、４２２…接続子、４２３…支持体、４３…フレキシブル配線基板、４３１…第１配線基板部、４３２…第２配線基板部、４３３…第３配線基板部、４６…弾性体。
【図１】
2005217950.tif 000003
【図２】
2005217950.tif 000004
【図３】
2005217950.tif 000005
【図４】
2005217950.tif 000006
【図５】
2005217950.tif 000007
【図６】
2005217950.tif 000008
【図７】
2005217950.tif 000009
【図８】
2005217950.tif 000010
【図９】
2005217950.tif 000011
【図１０】
2005217950.tif 000012
【図１１】
2005217950.tif 000013
【図１２】
2005217950.tif 000014
【図１３】
2005217950.tif 000015
【図１４】
2005217950.tif 000016
【手続補正書】
【提出日】平成16年12月27日(2004.12.27)
【手続補正１】
【補正対象書類名】図面
【補正対象項目名】全図
【補正方法】変更
【補正の内容】
【図１】
2005217950.tif 000017
【図２】
2005217950.tif 000018
【図３】
2005217950.tif 000019
【図４】
2005217950.tif 000020
【図５】
2005217950.tif 000021
【図６】
2005217950.tif 000022
【図７】
2005217950.tif 000023
【図８】
2005217950.tif 000024
【図９】
2005217950.tif 000025
【図１０】
2005217950.tif 000026
【図１１】
2005217950.tif 000027
【図１２】
2005217950.tif 000028
【図１３】
2005217950.tif 000029
【図１４】
2005217950.tif 000030